(57)【要約】【課題】簡単な構造で引出容器の飛び出し防止を実現した収納ケースの提供。【解決手段】透明又は半透明の樹脂製の引出容器１００と、引出容器の外側を覆う天板２２０と底フレーム２３０とそれらを繋ぐ支柱２４０およびハンドル４００とを有するフレーム体２００とからなり、フレーム体の引出側に一体成形のストッパ凸部２１０を設け、該ストッパ凸部は前側が下方に傾斜した曲面状に構成され、後側に段部が形成されてなる収納ケース。【選択図】  図４
0003128879.tif 000002
【実用新案登録請求の範囲】
【請求項１】
フレーム体と該フレーム体の内部に収容される引出容器からなり、フレーム体の引出側に引出容器の抜け出しを規制するストッパ凸部を設けてなることを特徴とする収納ケース。
【請求項２】
該凸部は、前側が下方に傾斜しており、後側に段部が形成されていることを特徴とする請求項1に記載の収納ケース。
【請求項３】
該凸部は前記前側が曲面で構成されてなることを特徴とする請求項１又は請求項2に記載の収納ケース。
【請求項４】
該フレーム体又は該引出容器の少なくとも一方が樹脂で成形されてなり、該フレーム体の開口部の高さが、該引出容器の高さと該凸部の高さの和より小さく設定されたことを特徴とする請求項1〜3項のいずれか1項に記載の収納ケース。
【考案の詳細な説明】
【技術分野】
【０００１】
本考案は、収納物を保管することができるケースに関し、特に引出容器と引出の外側を覆うフレーム体とからなる持ち運びに適した収納ケースに関するものである。
【背景技術】
【０００２】
従来、引出と引出の外側を覆うフレームからなる収納ケースが知られている。それらは引出を前後方向にスライドさせて、収納空間に収納物を収容可能な開状態と収納空間を閉じた閉状態に開閉できる構造となっている。
【０００３】
そして、樹脂製引出には前面に操作透窓を開口した収容部を設け、収容部にロック体を配置した構成などが開示されている。（例えば、特許文献１参照）。
【特許文献１】特開平１０−１２７３９１号公報
【考案の開示】
【考案が解決しようとする課題】
【０００４】
前述した携帯用工具箱は、ロック体を引出に有しており、引出体がロックされるように構成されている。
引出体を収納する場合は、引出を差し入れるだけでロックできるが、取り出す場合にはいちいち収納部前面の操作透窓から指掛け部に指を掛け、ロック体を下方に移動させ係止を解除する必要があった。
そのため工具を持ちながら引出を開けにくく、一旦、工具を別のところに置いてから引出を開けなければならないことがあった。
【０００５】
本考案は、上記の事情に鑑みてなされたもので、引出容器の開閉操作が容易で引出容器の不用意な飛び出しを防止することができる収納ケースを提供することを目的とする。
【課題を解決するための手段】
【０００６】
前記課題を解決するため請求項１記載の考案にあっては、フレーム体と該フレーム体の内部に収容される引出容器からなり、フレーム体の引出側に引出容器の抜け出しを規制するストッパ凸部を設けたことを特徴とする収納ケースとからなる。
【０００７】
また、請求項２記載の考案にあっては、該凸部は、前側が下方に傾斜しており、後側に段部が形成されてなることを特徴とする収納ケースとからなる。
【０００８】
また、請求項３記載の考案にあっては、該凸部は前記前側が曲面で構成されてなることを特徴とする収納ケースとからなる。
【０００９】
また、請求項４記載の考案にあっては、該フレーム体又は該引出容器の少なくとも一方が樹脂で成形されてなり、該フレーム体の開口部の高さが、該引出容器の高さと該凸部の高さの和より小さく設定されたことを特徴とする収納ケースとからなる。
【考案の効果】
【００１０】
請求項１に記載の考案によれば、引出容器の開閉操作が容易で、引出容器の不用意な飛び出しを防止することができる。
【００１１】
請求項２および請求項3に記載の考案によれば、引出容器の収納時の操作性を向上させることができる。
【００１２】
請求項4に記載の考案によれば、より引出容器が飛び出難い収納ケースが実現できる。
【考案を実施するための最良の形態】
【００１３】
以下、本考案の一実施形態を図に従って説明する。図１は本考案の収納ケースの正面図、図2は図1のA−A断面図であり、図３は本考案の収納ケースの引出容器を開放状態としたときのA−A断面図である。図4及び図5は本考案の収納ケースの斜視図および右側面図である。
【００１４】
本考案の収納ケースは、引出容器１００とその引出容器の外側を覆うフレーム体２００とからなっており、引出容器はフレーム体に収容された閉鎖状態（図2と図4）とフレーム体から露出した開放状態（図3）とになるように、フレーム体に対して摺動可能に構成されている。
【００１５】
引出容器とフレーム体はポリプロピレン、ポリエチレンなどの樹脂製の成形品を用いることができ、引出容器は透明又は半透明とすることが望ましい。
【００１６】
引出容器１００は、前側に把手１５０と底面に引出脚１１０を有する矩形状の容器で、図2に示すように波型の底面１２０を有している。そのために工具類を収容した場合に、引出容器から工具類を取り出し易くなっている。引出脚は引出容器をフレームに収納した状態で、後述するフレーム凸部の頂部２１５よりも後側に位置するように設定される。
【００１７】
また、引出容器には蓋130を設けることができ、引出自体をフレーム体から取り出して、パーツケースとして利用しながら作業することもできる。そして、引出容器しは透明又は半透明となっているために、外部から収容された工具類を確認することができ使用者の使い勝手を向上させている。
【００１８】
引出容器を収容するフレーム体2００は、天板２２０と底フレーム２３０とそれらを繋ぐ支柱２４０からなっている。そして、引出容器を収容できる空間を多段に複数有しており、前側、側方及び背面のいずれか一方から引出容器をスライドして収容可能なように、少なくとも一方に開口を有している。    
フレーム開口の外方近傍には、引出側に凸部２１０を設けてある。凸部はフレーム体と一体に成形された樹脂製の突起で、一つの引出容器に対して少なくとも1つの凸部が引出方向に向かって形成される。
【００１９】
本実施の形態では、引出底面１２０に対向する底フレーム２３０の中央部に凸部が設けられている（図1）。凸部の位置は様々な場所に設けることが可能である。例えば、引出の底面１２０、引出の側面１２５、引出の蓋１３０に対向する位置のフレーム体などに設けることができる。またフレーム体には持ち運び用のハンドル400と脚キャップ５００を設けてある。
【００２０】
凸部の数は適宜に設定することが可能であるが、引出容器の中央部に凸部を設けた場合には、凸部が1つだけであっても安定感のあるストッパを実現することができるため最適である。
【００２１】
そして凸部は、前側凸部２１１と後側段部２１２と頂部２１５からなっている。前側が下方に傾斜しており、後側に段部が形成され、この段部に、容器の引出脚が係止されるようになっている。
【００２２】
また、凸部は前側が曲面で構成されている。前側が曲面で構成されると引出容器をスライドして収容する場合に、角となる抵抗部分を持たないために、直線状の傾斜に比べて方向性のないスムーズな摺動を実現することができる。
【００２３】
以上のような本構成の収納ケースにおいて、引出容器をフレーム体に収納する場合には引出容器をフレーム側に軽く押すだけで収納することができる。その時、引出容器に設けられた引出脚１１０がフレーム体の外方近傍に設けられた凸部２１０の前側凸部をスムーズに移動して頂部を乗り越え、後側段部側に移動する。一旦乗り越えた引出容器は、収納ケースを持ち運んでも落ちない程度にロックされた状態で保持される。
【００２４】
また、収納ケースのフレーム体から引出容器を取り出す場合には、把手を持ち引出容器を前方に移動させると、引出容器の引出脚１１０が凸部の段部を乗り越え、引出容器を開放状態とすることができる。利用者は、引出容器のロック動作と解除動作を特別に意識しなくても、引出容器のロックと解除が自然な操作のなかで行なうことができるため、収納ケースの操作性は格段に向上する。
【００２５】
他の構成として、フレーム体又は引出容器の少なくとも一方が樹脂で成形され、フレーム体の開口部の高さが、引出容器の高さと該凸部の高さの和より小さく設定する構成とすることもできる。その場合、引出容器はフレーム体に挿入される場合、一時的に樹脂が弾性変形してフレーム体に挿入されることとなる。そのために、一旦挿入された引出容器はより強固にロックされることとなるから、本考案の収納ケースに工具等を収容した状態で、ハンドルを持って移動しても容易にロックが外れることがない。
【図面の簡単な説明】
【００２６】
【図１】本考案の一実施の形態にかかる収納ケースの正面図である。
【図２】同収納ケースの図1のA−A断面図である。
【図３】同収納ケースを開放状態としたときのA−A断面図である。
【図４】同収納ケースの斜視図である。
【図５】同収納ケースの右側面図である。
【符号の説明】
【００２７】
100       
引出容器
110          引出脚
120              底面
125              側面
130              蓋
140              仕切り
150              把手
200              フレーム体
210              凸部
211              前側凸部
212              後側凸部
215              頂部
220              天板
230       
底フレーム
240    支柱
400              ハンドル
500              キャップ
【図１】
0003128879.tif 000003
【図２】
0003128879.tif 000004
【図３】
0003128879.tif 000005
【図４】
0003128879.tif 000006
【図５】
0003128879.tif 000007